(57)【要約】      （修正有）【課題】夜間にクワガタやカブト虫などを確実に且つ効率良く捕虫が可能となると共に蝉などに対しても捕虫効率が向上可能となり、更に捕虫網の交換が簡単に行える昆虫用網を提供する。【解決手段】片手で把持可能な柄１の先端部11に、Ｕ字状の網枠２を設け、該網枠２の両先端にフック部２１を形成し、そのフック部２１にゴム紐３を張着させ、且つ、網枠２とゴム紐３に捕虫網４を取付け、該捕虫網４には、柄１の先端部１１から捕虫網４の途中まで切込部４１を設け、その切込部４１を開閉可能と成し、更に柄１の先端側をフレキシブル管５で構成すると共にそのフレキシブル管５に懐中電灯６を取付ける構造と成す。また柄１を伸縮自在とし、ゴム紐５の両端に引掛用の輪を設けると良い。【選択図】図１
0003143799.tif 000002
【実用新案登録請求の範囲】
【請求項１】
片手で把持可能な柄（１）の先端部（11）に、Ｕ字状の網枠（２）を設け、該網枠（２）の両先端をフック部（21）に形成し、そのフック部（21）にゴム紐（３）を張着させ、且つ、前記網枠（２）及び前記ゴム紐（３）に捕虫網（４）を取付け、該捕虫網（４）には、前記柄（１）の取付部である先端部（11）から前記捕虫網（４）の途中まで切込部（41）を設け、その切込部（41）を開閉可能と成し、更に前記柄（１）の先端側をフレキシブル管（５）で構成すると共にそのフレキシブル管（５）に懐中電灯（６）を取付けたことを特徴とする昆虫用網。
【請求項２】
前記柄（１）が伸縮自在である請求項１記載の昆虫用網。
【請求項３】
前記ゴム紐（３）の両端に引掛用の輪（31）が設けられた請求項１記載の昆虫用網。
【請求項４】
前記捕虫網（４）の上縁には、前記網枠（２）と前記ゴム紐（３）に取付け可能な装着部（42）,(43)が設けられると共に前記切込部（41）に面ファスナー（７）が装着された請求項１記載の昆虫用網。
【考案の詳細な説明】
【技術分野】
【０００１】
本考案は捕虫網が着脱可能であると共に柄の先端側が折曲可能であり、且つ、昆虫がいる樹木の曲面に網枠の先端が密着して捕虫できる昆虫用網に関する。
【背景技術】
【０００２】
一般に捕虫網の開口面の方向は柄に対して一定方向に固定されているため、捕虫の際、昆虫がいる場所によっては捕えにくい場合が多くあった。このため、捕虫網の開口面の方向がその柄に対して、素早く且つ容易に捕虫網の開口面を昆虫の正面に向け、捕獲率を向上させるものとして、実開昭６３−８５０８３号が提案されている。この構造は、柄と捕虫網の針金枠の柄に取付ける部分との間にフレキシブルパイプの短管を挿入接続した構造のものであった。
【０００３】
しかしながら、実開昭６３−８５０８３号を利用してクワガタやカブト虫などを捕虫する場合は夜間が多く、この時には片手に昆虫用網を持ち、他方の手に懐中電灯を持ちながらの捕虫であった。このため、昆虫を見つけた際には、片手に持った懐中電灯で昆虫を照らし、他方の手で昆虫用網を操作して捕虫しなければならず、特に捕獲場所の足場が悪いと、捕虫網の開口面を昆虫の真下或いは正面へ持って行くことが難しく、且つ、懐中電灯で昆虫を正確に照らすことも難しくなる。この結果、昆虫を確実に捕獲することは難しかった。またクワガタやカブト虫などを捕虫する際、捕虫網の開口面が円形であり、樹木の外周も略円形であり、昆虫の下に捕虫網の開口を持って行くと、図５（ａ）のように捕虫網（４）の開口面と樹木の外周は点接触となるため、その横から昆虫（９）は捕虫網（４）に入らずにその周囲から落下し易く、且つ矢印のように逃げる恐れもあり、昆虫（９）の捕獲効率が悪い場合も多くあった。一方、蝉などを捕虫する際、捕虫網（４）の開口面を、蝉などである昆虫（９）の正面に持って行くと、図５（ｂ）に示すように捕虫網（４）の開口面は樹木の外周に直線状に接するようになるが、その横から昆虫（９）が矢印のように逃げる恐れもあるのが現状であった。
【特許文献１】実開昭６３−８５０８３号公報
【考案の開示】
【考案が解決しようとする課題】
【０００４】
本考案は夜間にクワガタやカブト虫などを確実に且つ効率良く捕虫が可能となると共に蝉などに対しても捕虫効率が向上可能となり、更に捕虫網の交換が簡単に行える昆虫用網を提供することを目的とする。
【課題を解決するための手段】
【０００５】
本考案は上記現状に鑑み成されたものであり、つまり、片手で把持可能な柄の先端部に、Ｕ字状の網枠を設け、該網枠の両先端をフック部に形成し、そのフック部にゴム紐を張着させ、且つ、網枠とゴム紐に捕虫網を取付け、該捕虫網には、柄の先端部から捕虫網の途中まで切込部を設け、その切込部を開閉可能と成し、更に柄の先端側をフレキシブル管で構成すると共にそのフレキシブル管に懐中電灯を取付けた構造と成す。また柄を伸縮自在とし、ゴム紐の両端に引掛用の輪を設けると良い。また前記捕虫網の上縁に、網枠とゴム紐に取付け可能な装着部を設けると共に切込部に面ファスナーを装着させたものとしても良い。
【考案の効果】
【０００６】
請求項１のように片手で把持可能な柄（１）の先端部（11）に、Ｕ字状の網枠（２）を設け、該網枠（２）の両先端をフック部（21）に形成し、そのフック部（21）にゴム紐（３）を張着させ、且つ、網枠（２）とゴム紐（３）に捕虫網（４）を取付け、該捕虫網（４）には、柄（１）の先端部（11）から捕虫網（４）の途中まで切込部（41）を設け、その切込部（41）を開閉可能と成し、更に柄（１）の先端側をフレキシブル管（５）で構成すると共にそのフレキシブル管（５）に懐中電灯（６）を取付けたことにより、本考案は夜間にクワガタやカブト虫などの昆虫（９）を照らしながら両手で捕虫が行えるため、確実に且つ効率良く捕虫が可能になると共に、蝉などを捕虫する場合にも、捕虫網（４）の開口面が樹木の曲面と略密着した状態で捕獲が可能になることにより、捕虫網（４）の開口面と樹木の外周曲面との隙間から昆虫（９）が逃げることが殆どなくなるため、確実な蝉などの捕虫ができるものとなる。又、前記捕虫網（４）の交換が可能なものとなった。更に前記網枠（２）の両先端をフック部（21）に形成させることにより、その先端が丸くなるため、小さな子供が持っても安心できるものとなる。
【０００７】
請求項２のように柄（１）を伸縮自在とすることにより、昆虫（９）が高い所にいても簡単に且つ確実に捕虫可能なものとなる。
【０００８】
請求項３に示すようにゴム紐（３）の両端に引掛用の輪（31）を設けることにより、捕虫網（４）の交換がより簡単で且つ短時間に行えるものとなる。
【０００９】
請求項４に示すように捕虫網（４）の上縁に、網枠（２）とゴム紐（３）に取付け可能な装着部（42）,(43)を設けると共に切込部（41）に面ファスナー（７）を装着させることにより、捕虫網（４）の着脱が容易で且つ短時間に行えるものとなる。
【考案を実施するための最良の形態】
【００１０】
図１、図２は本考案の実施形態を示す図であり、これに基づき説明する。(１)は片手で把持可能で且つ伸縮自在な柄であり、該柄（１）の先端部（11）には後述する網枠（２）の取付部（22）が取付けられるための機能を有している。また柄（１）の材料としてはアルミニウム管を用いると良いが、この材料に限定されるものではない。（２）は柄（１）の先端部（11）に取付けるＵ字状の網枠であり、該網枠（２）の両先端にはフック部（21）が形成されている。また網枠（２）の中央部には柄（１）の先端部（11）に取付けるための取付部（22）が設けられている。又、前記網枠（２）は針金で形成されているが、合成樹脂製で網枠（２）と柄（１）の先端部（11）を一体成形させたものとしても良い。（３）は網枠（２）の両先端のフック部（21）に張着させるゴム紐であり、該ゴム紐（３）の両端には引掛用の輪（31）が設けられている。
【００１１】
（４）は網枠（２）及びゴム紐（３）に上縁部を取付けた捕虫網であり、該捕虫網（４）には、柄（１）の先端部（11）に取付けられる位置の上縁部から下方に向かって切込部（41）を設け、その切込部（41）には、開閉可能と成すために面ファスナー（７）などが装着されている。また捕虫網（４）の上縁に沿って、網枠（２）に取付ける装着部（42）と、ゴム紐（３）に取付ける装着部（43）が設けられており、前記装着部（42）,(43)としては、所定幅の伸縮布を用い、その伸縮布の外周には装着用の両面粘着テープ（44）が貼着されている。又、前記捕虫網（４）は、クワガタやカブト虫を採集する一般的なメッシュで且つ同じ構造の網を用いれば良い。尚、前記装着部（43）にゴム紐（３）が直接に取付けられたものを使用する場合は、交換時にゴム紐（３）も捕虫網（４）と一緒に交換するようにしても良い。（５）は柄（１）の先端側に取付けたフレキシブル管であり、該フレキシブル管（５）としては折曲自在で且つ捕虫網（４）が支持できるものであれば良い。（６）はフレキシブル管（５）に取付けるための小型の懐中電灯であり、ペンライトなどを用いると良い。（８）は懐中電灯（６）とフレキシブル管（５）とに挟持する合成樹脂製或いは金属製の挟持具である。
【００１２】
次に本考案の使用方法について説明する。予め先ず始めクワガタやカブト虫などを夜間に捕虫する場合について説明する。先ずフレキシブル管（５）の先端側に懐中電灯（６）を取付けておく。先ず始めにクワガタやカブト虫などの昆虫（９）を従来通りの方法で見つける。昆虫（９）を見つけた後、網枠（２）が樹木に対して直角になるように、フレキシブル管（５）を折曲させると共に懐中電灯（６）を点灯させる。この時、懐中電灯（６）がゴム紐（３）側に照射すると共に目標である昆虫（９）が照射されるように微調整しておくと良い。次に網枠（２）を昆虫（９）の真下に持って行くと、図３（ａ）のようにゴム紐（３）が樹木に触れる。そして網枠（２）を押圧させると、図３（ｂ）のようにゴム紐（３）は樹木の外周に沿って密着するのである。この状態で図３（ｃ）のように上方へ捕虫網（４）を持上げると、昆虫（９）はゴム紐（３）によって樹木から離れると共に落下する。この結果、昆虫（９）が左右に多少ずれて落下しても、ゴム紐（３）と網枠（２）によって形成される開口面に昆虫（９）が確実に入るのである。しかも、この時、懐中電灯（６）によって昆虫（９）が照射されるため、捕虫がより確実になるのである。
【００１３】
図４は蝉などの昆虫（９）を昼間に捕虫する場合について説明する図であり、これに基づいて説明する。先ずフレキシブル管（５）の先端側に取付けた懐中電灯（６）を外しておく。この時、懐中電灯（６）を取付けたままにしても良いが、取外した方が好ましい。そして蝉などの昆虫（９）を従来通りの方法で見つける。昆虫（９）を見つけた後、網枠（２）が樹木に対して平行になるように、つまり、昆虫（９）に対して略正面（若干前倒し）になるように、フレキシブル管（５）を折曲させる。次に捕虫網（４）の開口面の中央に昆虫（９）が入るように網枠（２）を持って行くと、図４（ａ）のようにゴム紐（３）が樹木に触れる。そして網枠（２）を押圧させると図４（ｂ）のようにゴム紐（３）が樹木の外周に沿って曲がると共に網枠（２）が樹木に略密着したものとなる。すると、捕虫網（４）の開口面は、図４（ｃ）のように樹木の外周に沿って略密着するため、従来の捕虫網（４）の開口面の横方向から昆虫（９）は図５（ｂ）の矢印のよう逃げることが殆どなくなり、昆虫（９）を捕虫網（４）の中へ確実に入れて捕虫することが可能となるのである。
【００１４】
樹木の枝や樹皮のささくれなどで捕虫網（４）が損傷し穴が開いた場合には、予め用意した捕虫網（４）と交換すれば良い。この交換方法について説明すると、先ず始めに面ファスナー（７）を外して捕虫網（４）の切込部（41）を開く。そして捕虫網（４）の上縁に設けた装着部（42）,(43)を、網枠（２）とゴム紐（３）から外す。この時、ゴム紐（３）が装着部（43）に直接取付けられて着脱できないものを使用した時は、ゴム紐（３）の両端の輪（31）を、網枠（２）のフック部（21）から外せば良い。次に捕虫網（４）を下方へ引張れば簡単に外れるのである。その後、用意した新たな捕虫網（４）の開口面を上方に向け、切込部（41）を柄（１）の先端部（11）の真下に来るように配置する。そして装着部（42）,(43)を網枠（２）とゴム紐（３）の外周を包むようにして捕虫網（４）を取付ける。更に面ファスナー（７）同志を押圧させて切込部（41）が閉じられ、捕虫網（４）の交換が完了するのである。尚、前記ゴム紐（３）が装着部（43）に直接取付けられて着脱できないものを使用する時は、ゴム紐（３）の両端の輪（31）を、網枠（２）のフック部（21）に引掛けて取付ければ良い。
【図面の簡単な説明】
【００１５】
【図１】本考案の実施形態の要部を示す斜視図である。
【図２】本実施形態の要部の分解部品を示す斜視図である。
【図３】本考案の使用方法を示す説明図である。
【図４】本考案の他の使用方法を示す説明図である。
【図５】従来品の使用方法を示す説明図である。
【符号の説明】
【００１６】
１  柄
11  先端部
２  網枠
21  フック部
３  ゴム紐
31  輪
４  捕虫網
41  切込部
42,43  装着部
５  フレキシブル管
６  懐中電灯
７  面ファスナー
【図１】
0003143799.tif 000003
【図２】
0003143799.tif 000004
【図３】
0003143799.tif 000005
【図４】
0003143799.tif 000006
【図５】
0003143799.tif 000007
【手続補正書】
【提出日】平成20年5月30日(2008.5.30)
【手続補正１】
【補正対象書類名】図面
【補正対象項目名】図３
【補正方法】変更
【補正の内容】
【図３】
0003143799.tif 000008